(57)【特許請求の範囲】
【請求項１】
自動販売機の外扉前面に開口するコイン投入口に臨ませてその前方に設置し、ここに一括して受け入れたコインを前記コイン投入口に導くようにしたコイン投入ガイドであって、該コイン投入ガイドがホッパー形のシュータ部と、該シュータ部から下方に延在する取付基台を形成した樹脂成形品になるものにおいて、
前記コイン投入ガイドの背面に、シュータ部の後縁に連なるとともにコイン投入口の凹面に合わせて取付基台の背面に膨出成形した凸部を設け、当該凸部の表面を部分的に切り欠いて排水路の溝を形成したことを特徴とする自動販売機のコイン投入ガイド。
【請求項２】
請求項１記載に自動販売機のコイン投入ガイドにおいて、取付基台の前面にカバーを被着した上で、該カバーの下端に排水口を形成したことを特徴とする自動販売機のコイン投入ガイド。
【発明の詳細な説明】
【技術分野】
【０００１】
本発明は、自動販売機の外扉前面に開口するコイン投入口に臨ませてその前方に配置し、ここに一括して受け入れたコインを順にコイン投入口に導くようにしたコイン投入ガイドの構造に関する。
【背景技術】
【０００２】
周知のように自動販売機には、その外扉の前面にコイン投入口を備え、このコイン投入口に投入したコインを機内に装備のコインメック（硬貨処理装置）に導くようにしている。このコイン投入口はコイン返却レバーを備えた操作パネルと組み合わせて外扉に配置されており（例えば、特許文献１参照）、その構造を図４，図５に示す。
【０００３】
図４において、１は自動販売機の本体、２は外扉、３は販売商品を展示する電照室、４は商品取出口、５は外扉２の前面中段位置に配した操作パネル５であり、該操作パネル５にはコイン返却レバー６，コイン投入口７が左右に並んで配置され、コイン投入口７には横向きにスリット穴７ａが開口している。なお、８は扉ロックである。
【０００４】
一方、前記したスリット状のコイン投入口７にコインを一枚ずつ投入することが面倒であることから、その改善策として図６で示すようにコイン投入口７に臨ませてその前方にホッパー形部品になるコイン投入ガイド９を配備し、このコイン投入ガイド９に一括して投入したコインを順にコイン投入口７を通じてコインメックに送り込むようにして利用客の利便性を高めた自動販売機が既に市場に展開しており、その構造を図６（ａ），（ｂ）に示す。
【０００５】
図６において、９は樹脂成形品で作られたホッパ−形のコイン投入ガイドであり、そのホッパーの底部には、前記コイン投入口７のスリット穴７ａ（図５参照）に通じるコイン透過穴９ａが開口しており、このコイン投入ガイド９は操作パネル５にネジ止めして固定されている。
【０００６】
一方、屋外に設置する自動販売機について、その外扉前面に配した操作パネルの開口部，該開口部を通じて外面に臨むコイン投入口などの部品との間の間隙から侵入した雨水を機外へ排出する手段として、操作パネルの背面側に外扉の前面側に通じる排水路を形成した雨水排水構造が知られている（例えば、特許文献２参照）。
【特許文献１】特開２００１−１３４８０９号公報（第３頁、図５，図６）
【特許文献２】実開平５−８６９２号公報（図２，図３）
【発明の開示】
【発明が解決しようとする課題】
【０００７】
ところで、図６に示した従来のコイン投入ガイド９は、屋内に設置する自動販売機への適用を対象としていて、屋外に設置する場合の雨水対策について考慮されてない。
【０００８】
一方、ユーザーによっては、コイン投入ガイド付きの自動販売機を屋外に設置して使用する要望がある。そこで、コイン投入ガイドの雨水対策について検討したところ、先記特許文献２に開示されているような雨水排水構造では十分に対応できないことが判った。すなわち、図６のコイン投入ガイド９は上面を開放したホッパー部分が外扉２から前方に突き出しており、かつその底部の穴９ａがその背後に位置するコイン投入口７へ通じるよう近接して対峙している。そのために、このままではコイン投入ガイド９に降り注いだ雨水がホッパーの底面を伝わってコイン投入口７のスリット穴７ａに流入し、機内に配置したコインメックを濡らして不要なトラブルを引き起こすおそれがある。
【０００９】
そこで、本発明の目的は、外扉の前面に装備したコイン投入ガイドについて、雨水が投入ガイドから背後のコイン投入口に流入するのを防止して確実に機外へ排水できるように改良した雨水排水構造を提供することにある。
【課題を解決するための手段】
【００１０】
上記目的を達成するために本発明によれば、自動販売機の外扉前面に開口するコイン投入口に臨ませてその前方に設置し、ここに一括して受け入れたコインを前記コイン投入口に導くようにしたコイン投入ガイドであって、該コイン投入ガイドがホッパー形のシュータ部と、該シュータ部から下方に延在する取付基台を形成した樹脂成形品になるものにおいて、前記コイン投入ガイドの背面に、シュータ部の後縁に連なるとともにコイン投入口の凹面に合わせて取付基台の背面に膨出成形した凸部を設け、当該凸部の表面を部分的に切り欠いて排水路の溝を形成したことを特徴とする（請求項１）。また、請求項１に記載の自動販売機の投入ガイドにおいて、取付基台の前面にカバーを被着した上で、該カバーの下端に排水口を形成したことを特徴とする（請求項２）。
【発明の効果】
【００１１】
上記の構成によれば、コイン投入ガイドに降り注いだ雨水は、シュータ部の後縁から背後のコイン投入口に到達する手前で排水路に入り込み、この排水路を流下した後に投入ガイドの下端に開口した排水口を通じて機外に排出される。これにより、コイン投入ガイドに投入したコインの搬送機能を損なうことなしに、雨水を機外へ確実に排水することができる。また、コイン投入ガイドの取付基部前面に被せたカバーにも排水口を形成しておくことで、コイン投入ガイドの内部に侵入した雨水もカバーに開口した排水口を通じて外扉の前面側に排水できる。
【発明を実施するための最良の形態】
【００１２】
以下、本発明の実施の形態を図１〜図３に示す実施例に基づいて説明する。なお、図１はコイン投入ガイドを背面から見た外観図、図２（ａ）はコイン投入ガイドを外扉に装着した組立状態の側面図、図２（ｂ）は（ａ）の模式断面図、図３（ａ）はコイン投入ガイド１０を装着した組立状態の外観図、図３（ｂ）は（ａ）の分解斜視図であり、実施例の図中で図５，図６に対応する部材には同じ符号を付してその説明は省略する。
【００１３】
図示実施例の構成では、コイン投入口７に臨ませて操作パネル５の前面に装着するコイン投入ガイド１０が次記のような構造になる。すなわち、コイン投入ガイド１０はその上半部から前方に向け庇状に突き出したシュータ部１０ａと、該シュータ部１０ａから下方に延在する取付基台１０ｂを形成した樹脂成形品で、その取付基台１０ｂの前面にはカバー１１（図３参照）を被着した構造になる。
【００１４】
ここで、前記シュータ部１０ａは図１で示すように後端を除く周縁を背の低いフェンスで囲み、その内側には桟１０ｃを格子状に組んで後傾するコインシュータ面を形成しており、その後端縁を櫛歯状に形成した上で、その先端を外扉２に配したコイン投入口７のスリット穴７ａと対峙させるようにしている。また、取付基台１０ｂの背面にはコイン投入口７の凹面形状（図５参照）に倣った膨出する半円形状の凸部１０ｄが形成されており、ここに前後方向に貫通するネジ通し穴１０ｅを穿孔するとともに、凸部表面に沿って縦方向の凹溝を切欠いてシュータ部１０ａの後端縁（櫛歯形状）に連なる排水路１０ｆを形成しており、さらに取付基台１０ｂの下端縁には排水路１０ｆに通じる排水口１０ｇが下方に向けて開口している。
【００１５】
また、カバー１１にはその下端縁に排水口１１ａを切欠き形成し、カバー上縁から突き出た係合突起１１ｂをコイン投入ガイド１０の本体に係合して取付基台１０ｂの前面に嵌着するようにしている。
【００１６】
上記の構成で、コイン投入ガイド１０をコイン投入口７に臨ませて操作パネル５に前面に取付けるには、図３で示すように、取付基台１０ｂに穿孔したネジ通し穴１０ｅに合わせてコイン投入口７の凹面にネジ穴７ｂを穿孔しておき、操作パネル５の前面に前方からコイン投入ガイド１０を押し当て、その取付基台１０ｂの凸部１０ｄをコイン投入口７の凹面に嵌入して所定位置に位置決めした上で、前方より締結ネジ１２を嵌挿し、外扉２の裏面側から締結して固定する。さらに、取付基台１０ｂの前面にカバー１１を被着してネジ締結部を覆い隠す。
【００１７】
上記の構成で、コイン投入ガイド１０のシュータ部１０ａに複数枚のコインを一括して投入すると、コインはシュータ部１０ａの傾斜面を滑り落ち、その後端から背後に開口しているコイン投入口７のスリット穴７ａに１枚ずつ送り込まれる。
【００１８】
一方、屋外に設置した自動販売機のロケーション先で雨が降った場合に、コイン投入ガイド１０のシュータ部１０ａの中に降り注いだ雨水は、図２（ｂ）で示すようにシュータ部の底面（コイン搬送面）を伝わって後端まで達したところで、取付基台１０ｂの背面に形成した排水路１０ｆに沿って流れ落ち、その下端に開口している排水口１０ｇより外扉の前面側（機外）に排水される。したがって、雨水がコイン投入口７のスリット穴７ａから侵入して機内側に配置したコインメックを濡らすことがない。また、コイン投入ガイド１０の内部に滲み込んだ雨水も停滞なくカバー１１の下縁に形成した排水口１１ａを通じて外扉の前面側に排水される。
【図面の簡単な説明】
【００１９】
【図１】本発明の実施例によるコイン投入ガイドの背面側から見た外観図
【図２】図１のコイン投入ガイドを外扉の前面に装着した状態を表す図で、（ａ）は側面図、（ｂ）は（ａ）の模式断面図
【図３】図１のコイン投入ガイドを操作パネルの前面に装着した状態を表す図で、（ａ）は装着後の正面から見た外観図、（ｂ）は装着手順の説明図
【図４】コイン投入ガイド無しの自動販売機の正面図
【図５】図４におけるコイン投入口周辺の外観図
【図６】従来構造のコイン投入ガイドを外扉に装着した状態を表す図で、（ａ）は装着後の正面から見た外観図、（ｂ）は装着手順の説明図
【符号の説明】
【００２０】
２    外扉
５    操作パネル
６    返却レバー
７    コイン投入口
１０    コイン投入ガイド
１０ａ  シュータ部
１０ｂ  取付基台
１０ｄ  凸部
１０ｆ  排水路
１０ｇ  排水口
１１    カバー
１１ａ  排水口
【図１】
0004650301.tif 000002
【図２】
0004650301.tif 000003
【図３】
0004650301.tif 000004
【図４】
0004650301.tif 000005
【図５】
0004650301.tif 000006
【図６】
0004650301.tif 000007